【手続補正書】
【提出日】平成19年6月29日(2007.6.29)
【手続補正１】
【補正対象書類名】明細書
【補正対象項目名】発明の名称
【補正方法】変更
【補正の内容】
【発明の名称】液晶表示装置
【手続補正２】
【補正対象書類名】明細書
【補正対象項目名】特許請求の範囲
【補正方法】変更
【補正の内容】
【特許請求の範囲】
【請求項１】
液晶素子を含む画素と、
フリップフロップと、
第１のアナログスイッチと、
第２のアナログスイッチと、を有し、
前記第１のアナログスイッチは、第１の制御端子と、第１の入力端子と、第１の出力端子と、を有し、
前記第２のアナログスイッチは、第２の制御端子と、第２の入力端子と、第２の出力端子と、を有し、
前記第１の制御端子は、前記フリップフロップの出力端子に電気的に接続され、
前記第２の制御端子は、前記フリップフロップの出力端子に電気的に接続され、
前記第１の入力端子に第１の信号線が電気的に接続され、
前記第２の入力端子に第２の信号線が電気的に接続され、
前記第１の制御端子に入力される信号に応じて前記第１のアナログスイッチが導通し、
前記第２の制御端子に入力される信号に応じて前記第２のアナログスイッチが導通することを特徴とする液晶表示装置。
【請求項２】
液晶素子を含む画素と、
フリップフロップと、
第１のアナログスイッチと、
第２のアナログスイッチと、を有し、
前記第１のアナログスイッチは、第１の制御端子と、第１の入力端子と、第１の出力端子と、を有し、
前記第２のアナログスイッチは、第２の制御端子と、第２の入力端子と、第２の出力端子と、を有し、
前記第１の制御端子は、前記フリップフロップの出力端子に電気的に接続され、
前記第２の制御端子は、前記フリップフロップの出力端子に電気的に接続され、
前記第１の入力端子に第１の信号線が電気的に接続され、
前記第２の入力端子に第２の信号線が電気的に接続され、
前記第１の制御端子に入力される信号に応じて前記第１のアナログスイッチが導通し、
前記第２の制御端子に入力される信号に応じて前記第２のアナログスイッチが導通し、
前記第１のアナログスイッチを構成する複数のトランジスタは、同じ導電型を有し、
前記第２のアナログスイッチを構成する複数のトランジスタは、同じ導電型を有することを特徴とする液晶表示装置。
【請求項３】
請求項２において、
前記第１のアナログスイッチを構成する複数のトランジスタ及び前記第２のアナログスイッチを構成する複数のトランジスタは、同じ導電型を有することを特徴とする液晶表示装置。
【請求項４】
請求項１乃至３のいずれか一において、
前記フリップフロップは、ビデオ信号に応じて、前記第１の制御端子に入力される信号及び前記第２の制御端子に入力される信号を生成することを特徴とする液晶表示装置。
【請求項５】
液晶素子を含む画素と、
フリップフロップと、
第１のアナログスイッチと、
第２のアナログスイッチと、
第３のアナログスイッチと、を有し、
前記第１のアナログスイッチは、第１の制御端子と、第１の入力端子と、第１の出力端子と、を有し、
前記第２のアナログスイッチは、第２の制御端子と、第２の入力端子と、第２の出力端子と、を有し、
前記第３のアナログスイッチは、第３の制御端子と、第３の入力端子と、第３の出力端子と、を有し、
前記第１の制御端子は、前記フリップフロップの出力端子に電気的に接続され、
前記第２の制御端子は、前記フリップフロップの出力端子に電気的に接続され、
前記第３の制御端子は、前記フリップフロップの出力端子に電気的に接続され、
前記第１の入力端子及び前記第３の入力端子に第１の信号線が電気的に接続され、
前記第２の入力端子に第２の信号線が電気的に接続され、
前記第１の制御端子に入力される信号に応じて前記第１のアナログスイッチが導通し、
前記第２の制御端子に入力される信号に応じて前記第２のアナログスイッチが導通し、
前記第３の制御端子に入力される信号に応じて前記第３のアナログスイッチが導通することを特徴とする液晶表示装置。
【請求項６】
請求項５において、
前記フリップフロップは、ビデオ信号に応じて、前記第１の制御端子に入力される信号、前記第２の制御端子に入力される信号、及び前記第３の制御端子に入力される信号を生成することを特徴とする液晶表示装置。
【請求項７】
液晶素子を含む画素と、
フリップフロップと、
第１のアナログスイッチと、
第２のアナログスイッチと、
第３のアナログスイッチと、
第１のトランジスタと、
第２のトランジスタと、
第３のトランジスタと、を有し、
前記第１のアナログスイッチは、第１の制御端子と、第２の制御端子と、第１の入力端子と、第１の出力端子と、を有し、
前記第２のアナログスイッチは、第３の制御端子と、第４の制御端子と、第２の入力端子と、第２の出力端子と、を有し、
前記第３のアナログスイッチは、第５の制御端子と、第６の制御端子と、第３の入力端子と、第３の出力端子と、を有し、
前記第１の制御端子は、前記フリップフロップの第１の出力端子に電気的に接続され、
前記第２の制御端子は、前記フリップフロップの第２の出力端子に電気的に接続され、
前記第３の制御端子は、前記フリップフロップの第１の出力端子に電気的に接続され、
前記第４の制御端子は、前記フリップフロップの第２の出力端子に電気的に接続され、
前記第５の制御端子は、前記フリップフロップの第１の出力端子に電気的に接続され、
前記第６の制御端子は、前記フリップフロップの第２の出力端子に電気的に接続され、
前記第１の入力端子及び前記第３の入力端子に第１の信号線が電気的に接続され、
前記第２の入力端子に第２の信号線が電気的に接続され、
前記第１のトランジスタのソース及びドレインの一方は、前記第１のアナログスイッチの第１の出力端子に電気的に接続され、
前記第１のトランジスタのソース及びドレインの他方は、第１の電源線に電気的に接続され、
前記第１のトランジスタのゲートは、前記フリップフロップの第２の出力端子に電気的に接続され、
前記第２のトランジスタのソース及びドレインの一方は、前記第１の電源線に電気的に接続され、
前記第２のトランジスタのソース及びドレインの他方は、前記第３のアナログスイッチの第３の出力端子に電気的に接続され、
前記第２のトランジスタのゲートは、前記第３のアナログスイッチの制御端子に電気的に接続され、
前記第３のトランジスタのソース及びドレインの一方は、前記第２のアナログスイッチの第２の出力端子に電気的に接続され、
前記第３のトランジスタのソース及びドレインの他方は、第２の電源線に電気的に接続され、
前記第３のトランジスタのゲートは、前記フリップフロップの第１の出力端子に電気的に接続され、
前記第１の制御端子に入力される信号に応じて前記第１のアナログスイッチが導通し、
前記第２の制御端子に入力される信号に応じて前記第２のアナログスイッチが導通し、
前記第３の制御端子に入力される信号に応じて前記第３のアナログスイッチが導通することを特徴とする液晶表示装置。
【請求項８】
請求項７において、
前記フリップフロップは、ビデオ信号に応じて、前記第１の制御端子に入力される信号、前記第２の制御端子に入力される信号、前記第３の制御端子に入力される信号、前記第４の制御端子に入力される信号、及び前記第５の制御端子に入力される信号を生成することを特徴とする液晶表示装置。
【請求項９】
液晶素子を含む画素と、
第１のアナログスイッチ及び第２のアナログスイッチを有するシフトレジスタと、
第３のアナログスイッチと、を有し、
前記第１のアナログスイッチは、第１の制御端子と、第１の入力端子と、第１の出力端子と、を有し、
前記第２のアナログスイッチは、第２の制御端子と、第２の入力端子と、第２の出力端子と、を有し、
前記第３のアナログスイッチは、第３の制御端子と、第３の入力端子と、第３の出力端子と、を有し、
前記第３のアナログスイッチは、前記画素と電気的に接続され、
前記第３の制御端子は、前記シフトレジスタと電気的に接続され、
前記第１の入力端子に第１の信号線が電気的に接続され、
前記第２の入力端子に第２の信号線が電気的に接続され、
前記第１の制御端子に入力される信号に応じて前記第１のアナログスイッチが導通し、
前記第２の制御端子に入力される信号に応じて前記第２のアナログスイッチが導通し、
前記第３の制御端子に入力される信号に応じて前記第３のアナログスイッチが導通することを特徴とする液晶表示装置。
【請求項１０】
請求項１乃至９のいずれか一において、
前記第１の信号線に供給される信号と、前記第２の信号線に供給される信号は、反対の論理レベルであることを特徴とする液晶表示装置。
【請求項１１】
請求項１乃至１０のいずれか一において、
前記アナログスイッチは、ＭＯＳトランジスタ又はＭＩＳトランジスタを有することを特徴とする液晶表示装置。
【請求項１２】
請求項１乃至１１のいずれか一において、
前記第１の信号線には、クロック信号が供給され、
前記第２の信号線には、クロックバック信号が供給されることを特徴とする液晶表示装置。